(57)【特許請求の範囲】
【請求項１】
水槽と、該水槽内に貯留された水を処理する水処理槽とが水槽装置本体に設けられ、該水処理槽で設定水温に維持された水を、前記水槽に循環するように構成した活魚水槽装置において、
前記水処理槽は前記水槽装置本体の一方側に配置され、
前記水処理槽から前記水槽に水を供給する送水管が、前記水槽の壁内面に設けられ、
前記送水管の断面形状は、水槽の上下方向の長さが水平方向の長さよりも長く設定され、
前記送水管の一端は水処理槽と連通するとともに、前記送水管の他端は前記水槽装置本体の他方側に向けて設けられ、
前記水槽の全長にわたって送水路が構成されるように、前記送水管の他端は、前記水槽の側壁に当接または接近して閉塞されているとともに、前記送水管は、一端から他端にわたって前記水槽に貯留される水に浸漬される高さに設定され、
しかも、前記送水管の他端部に排出口が形成されるとともに、前記水槽には、水を前記水処理槽に送る開口が、前記排出口に対して前記水槽の対角線上に形成されていることを特徴とする活魚水槽装置。
【請求項２】
前記請求項１に記載の活魚水槽装置において、前記水処理槽は、水をろ過するろ過槽と、ろ過した水を設定水温に制御し再び水槽に循環させる循環ポンプ槽と、水を殺菌する殺菌槽とを備えていることを特徴とする活魚水槽装置。
【発明の詳細な説明】
【技術分野】
【０００１】
本発明は、活魚水槽装置に関する。
【背景技術】
【０００２】
従来、この種の活魚水槽装置は、活魚等を入れる水槽と、水槽内の海水を設定水温に維持するとともに水処理する海水処理槽とが設けられている。この海水処理槽は、海水をろ過するろ過槽と、ろ過した水を設定水温に制御し再び水槽に循環させる循環ポンプ槽と、水を殺菌する殺菌槽とを備えている（例えば、特許文献１参照）。
【０００３】
水槽に貯留されている海水は、その水温を均等にするのが好ましく、また、餌の食べ残しや活魚等の排泄物等の汚泥（異物）を水槽から除去するのが好ましい。そのために、水槽内へ海水を排出する海水排出口と、水槽内の海水を水槽外部に排出する吸水開口とを離間して設け、水槽内で海水を対流させることにより、水温の均等化を図るとともに、海水とともに異物を水槽外に排出するように工夫する必要がある。
【特許文献１】特開２００１−２５８４２３号公報
【発明の開示】
【発明が解決しようとする課題】
【０００４】
前記特許文献１は、水槽の底部内に海水が循環する吸水路を形成するものであり、水槽の製造が複雑となる欠点がある。
【０００５】
また、水槽の外部に配管を設ける場合もある。かかる場合は、配管を簡単に設けることができるが、配管が露出しているため、海水の熱が配管を通して逃げてしまい、配管内を流れる海水が外気温度の影響を受ける問題がある。
【０００６】
本発明は、水槽の壁内面で且つ水中内の所定位置に、水槽とは別部材の送水管を設けるという簡単な構成により、水の循環時の熱ロスを可及的に少なくすることを課題とする。
【課題を解決するための手段】
【０００７】
本発明は、前記課題を解決するためになされたもので、その特徴は、水槽と、該水槽内に貯留された水を処理する水処理槽とが水槽装置本体に設けられ、該水処理槽で設定水温に維持された水を、前記水槽に循環するように構成した活魚水槽装置において、前記水処理槽は前記水槽装置本体の一方側に配置され、前記水処理槽から前記水槽に水を供給する送水管が、前記水槽の壁内面に設けられ、前記送水管の断面形状は、水槽の上下方向の長さが水平方向の長さよりも長く設定され、前記送水管の一端は水処理槽と連通するとともに、前記送水管の他端は前記水槽装置本体の他方側に向けて設けられ、前記水槽の全長にわたって送水路が構成されるように、前記送水管の他端は、前記水槽の側壁に当接または接近して閉塞されているとともに、前記送水管は、一端から他端にわたって前記水槽に貯留される水に浸漬される高さに設定され、しかも、前記送水管の他端部に排出口が形成されるとともに、前記水槽には、水を前記水処理槽に送る開口が、前記排出口に対して前記水槽の対角線上に形成されていることにある。
【０００８】
前記本発明は、水槽に貯留され且つ設定温度を維持する水に送水管が浸漬され、この送水管を循環する水が流れるため、循環する水の熱が送水管を介して逃げてしまうおそれはない。
【００１０】
また、送水管の排出口と水処理槽に送る開口とが離間しているため、水槽内の水を効果的に対流させることができ、その水温を均等にするとともに、異物を水槽から除去することができる。
【００１２】
前記本発明の水処理槽は、水をろ過するろ過槽と、ろ過した水を設定水温に制御し再び水槽に循環させる循環ポンプ槽と、水を殺菌する殺菌槽とを備えている。
【発明の効果】
【００１３】
本発明は、送水管が、水槽の壁内面で且つ水槽に貯留された水に浸漬するように設けられているため、送水管内を流れる水の熱が逃げるのを防止でき、水の循環時の熱ロスを可及的に少なくできる。しかも、別部材の送水管を水槽の壁内面に設けるため、簡単な構成とすることができる。
【発明を実施するための最良の形態】
【００１４】
以下、本発明に係る活魚水槽装置の実施の形態について、図面を参照しながら説明する。図１〜図８は、本発明の一実施の形態を示す。
【００１５】
活魚水槽装置１は、生きた魚等を数日間一時的にストックさせておくもので、平面視矩形状を呈するとともに断熱性を有する水槽装置本体７を備えている。水槽装置本体７は、前後側壁１１、１２と、左右側壁１３、１４と、底壁１５とからなる。この水槽装置本体７は、水槽２、泡沫分離槽３、ろ過槽４、ポンプ槽５および殺菌槽６に区画されている。なお、泡沫分離槽３、ろ過槽４、ポンプ槽５および殺菌槽６は、活魚水槽装置１の一方側（図１に示す右側）に配置されており、水処理槽を構成している。
【００１６】
水槽２と泡沫分離槽３とは、図１、図７および図８に示すように水槽装置本体７の前後側壁１１、１２間にわたって設けられた隔壁３１で区画されており、その隔壁３１の下部には、水槽２と泡沫分離槽３と連通する開口（下水流出スリット）３２が形成されている。従って、水槽２内の海水は、この下水流出スリット３２を介して泡沫分離槽３内に流入するようになっている。なお、この下水流出スリット３２は、水槽装置本体７の前側壁１１の近傍に形成されている。
【００１７】
泡沫分離槽３の上部には、図７に示すように泡沫分離カバー３０が設けられ、泡沫分離カバー３０の一方が泡沫分離槽３内に向けて傾斜しており、泡沫分離槽３内に貯留されている海水内に望むようになっている。泡沫分離槽３の底部には、泡沫分離分散器３４が設けられている。泡沫分離分散器３４は、水槽装置本体７に架設された機械台８に設置されたエアーポンプ（ブロワー）３３により、空気を送り微細な気泡を発生させるものである。
【００１８】
泡沫分離カバー３０には、泡沫分離分散器３４により発生し泡沫分離槽３の上部に蓄積された汚濁の気泡３５を外部に流出させる汚濁排出管３６が連結されている。
【００１９】
隔壁３１の上部には、水槽２内の上水（泡）を泡沫分離槽３に取り入れる上水取装置３７が設けられている。この上水取装置３７は、隔壁３１の上部を切り欠いて形成した開口３８部に、フロート３７ａがアーム３９を介して揺動自在に設けられたものである。そして、このフロート３７ａが水槽２内の水面高さに応じて上下に移動することにより、泡３５ａと上水を泡沫分離槽３に優先的に吸い込むことができる。
【００２０】
泡沫分離槽３とろ過槽４とは、水槽装置本体７の前後側壁１１、１２間にわたって設けられた隔壁４０で区画されている。隔壁４０には、泡沫分離槽３とろ過槽４とを連通するろ過槽流入口４１が形成されている。
【００２１】
ろ過槽４は、その内部の下方に通水する各種形状の通孔を設けた多孔板４２が敷設されている。この多孔板４２の上面には、砂等の各種のろ材４３が積層して収容されている。また、隔壁４０には、図８に示す如く、ろ過槽流入口４１に連通する筒状体４４がろ過槽４内に望むように設けられ、この筒状体４４には、袋状に形成されたフィルター４５の口部４５ａが、着脱自在に取り付けられている。このフィルター４５はろ材４３の上面に設けられている。
【００２２】
ろ過槽４の底部と多孔板４２との間で形成される空間４７が、隣接するポンプ槽５に連通されており、ろ材４３でろ過された海水は、空間４７を流れてポンプ槽５に流入するようになっている。また、空間４７内には、洗浄用空気配管４６が設けられ、この洗浄用空気配管４６は、前記ブロワー３３または別途設置される図示省略の専用ブロワーから圧送される空気により、ろ材４３を浮遊させて洗浄するものである。
【００２３】
このポンプ槽５には、その内部に海水を吸上げる縦型の軸流ポンプからなる循環ポンプ５０が設けられている。また、機械台８には、クラー５１およびヒーター（図示省略）の少なくとも一方が設置されている。
【００２４】
機械台８には、ブロワー３３、循環ポンプ５０およびクラー５１（またはヒーター）を制御する制御装置５５が設けられている。そして、ポンプ槽５内の海水は、クラー５１により冷却されるか、あるいはヒーターにより加熱されて設定水温を維持するように制御されている。循環ポンプ５０の流出口部５１は、ＵＶ殺菌槽６に向かって延設配管されており、ポンプ槽５内の海水は、循環ポンプ５０によりＵＶ殺菌槽６に流入するようになっている。
【００２５】
殺菌槽６には、図６に示すようにＵＶランプ６０を備えた殺菌装置６１が設けられている。殺菌槽６は、前記隔壁３１で水槽２と区画されているとともに、長尺状の１次側の送水管２０を介して前記水槽２と連通している。
【００２６】
送水管２０は、図５に示すように断面形状が矩形状を呈しており、上下壁２０ａ、２０ｂと、前後壁２０ｃ、２０ｄとを備えている。上下壁２０ａ、２０ｂの長さＬ１は、前後壁２０ｃ、２０ｄの長さＬ２よりも大きく設定されている。送水管２０の後壁２０ｄが後側壁１２の内面上部でかつ長手方向に沿って取り付けられている。なお、送水管２０の高さ位置は、特に限定されるものではないが、水槽２内に貯留された海水に浸漬する高さに設定する。
【００２７】
前記のように、上下壁の長さＬ１を、前後壁の長さＬ２よりも大きくすることにより、送水管２０を上下方向に長く（扁平状に）することができ、送水口の必要面積を確保しつつ、水槽２内での水平方向の突出量を小さくし、嵩張らないようにしている。従って、魚等を適宜籠に入れ、この籠を水槽２内に入れる際や、海水から取り出す際に、送水管２０が邪魔にならないようになっている。
【００２８】
送水管２０の一端は殺菌槽６と連通するとともに、他端は左側壁１４に当接または接近して閉塞されており、水槽２の長手方向（左右方向）の全長にわたって送水路が構成されている。送水管２０の他端部には、排水口２１が形成され、この排水口２１は、前記下水流出スリット３２に対して水槽２の平面視略対角線上に設けられている。また、排水口２１は海水の上部に位置し、下水流出スリット３２は、海水の底部に位置するため、水槽２内の海水を効果的に対流させることができる。
【００２９】
本実施の形態の活魚水槽装置１は、以上の構成からなり、次にその装置の作用について説明する。
【００３０】
先ず、循環ポンプ５０を始動してポンプ槽５内の海水を殺菌槽６に注入する。このポンプ槽５内の海水は、クラー５１またはヒーターにより、設定水温（例えば略１８℃）に冷却または加熱され維持されている。
【００３１】
殺菌槽６の内部において流水中に浮遊するバクテリア、細菌及びその他の微生物を効率的に死滅させ処理する。処理され且つ設定水温に維持された海水は殺菌槽６の上部より送水管２０に流入する。この送水管２０は、断熱性を有する水槽２内の海水に浸漬されていることから、外気温度の影響を受けることはなく、熱ロスのおそれがない。
【００３２】
送水管２０を通った海水は、排出口２１から水槽２内に排出される。水槽２内の海水は、水槽２の底部にある下水流出スリット３２を介して泡沫分離槽３に流入する。このとき、水槽２の底部に沈んでいる異物も海水と一緒に泡沫分離槽３に流入することとなる。
【００３３】
泡沫分離槽３において、泡沫分離分散器３４により発生し泡沫分離槽３の上部に蓄積された汚濁の気泡３５を汚濁排出管３６が外部に流出させる。また、上水取装置３７により水槽２の水面の泡３５ａと上水が、優先的に泡沫分離槽３に吸い込まれる。
【００３４】
泡沫分離槽３内の海水に混入する大きい異物は、泡沫分離分散器３４から発生する気泡により上方に浮遊し、フィルター４５によって排除される。この異物が排除された海水は、次のろ過槽４の上部より、内部のろ材４３及び多孔板４２にろ過され、ポンプ槽５に流入する。設定水温に制御された海水は、再びろ過工程、殺菌工程を経て循環する。
【００３５】
以上のように、本実施の形態に係る活魚水槽装置１は、循環する海水の熱ロスがほとんどなく、海水の温度制御を安定して正確に行なうことができる。しかも、送水管２０は水槽２の内面に取り付けるだけなので、その取り付け作業も容易に行なうことができる。
【００３６】
本発明は、前記実施の形態に限定されるものではない。例えば、図９（ａ）に示すように送水管２０は、前壁２０ｃの下部に傾斜面２０ｅを設けることも可能である。かかる場合には、籠等を水槽２内から引き上げる際に、傾斜面２０ｅを籠等が摺動するため、送水管２０が支障となることがない。
【００３７】
また、送水管２０は、図９（ｂ）に示すように、前壁２０ｃを円弧状に設けることも可能である。
【００３８】
さらに、送水管２０は、筒状のものに限らず、図９（ｃ）に示すように、上壁２０ａ、下壁２０ｂおよび前壁２０ｃとから構成し、後側壁１２との間で送水路を構成するもであってもよい。
【００３９】
本実施の形態では、送水管２０は水処理槽側から水槽２側に海水を供給する１次側のものを例示したが、水槽２側から水処理槽側に戻す２次側のものであってもよい。
【００４０】
また、水槽には、海水以外に通常の水であってもよく、水槽２に入れられる魚等の種類により適宜決定される。
【図面の簡単な説明】
【００４１】
【図１】本発明の一実施の形態に係る活魚水槽装置の全体概略平面図である。
【図２】同活魚水槽装置の全体概略正面図である。
【図３】同活魚水槽装置の全体概略側面図である。
【図４】同水槽装置本体の断面図である。
【図５】同水槽装置本体および送水管の要部を示す断面図である。
【図６】図２におけるＡ−Ａ線断面図である。
【図７】（ａ）は活魚水槽装置の断面側面図、（ｂ）は（ａ）におけるＢ−Ｂ線断面図である。
【図８】図７（ａ）におけるＣ−Ｃ線断面図である。
【図９】（ａ）〜（ｃ）は、本発明の他の形態を示す図５に対応する要部を示す断面図である。
【符号の説明】
【００４２】
１      活魚水槽システム
２      水槽
３      泡沫分離槽
４      ろ過槽
５      ポンプ槽
６      殺菌槽
７      水槽装置本体
２０    送水管
【図１】
0004909189.tif 000002
【図２】
0004909189.tif 000003
【図３】
0004909189.tif 000004
【図４】
0004909189.tif 000005
【図５】
0004909189.tif 000006
【図６】
0004909189.tif 000007
【図７】
0004909189.tif 000008
【図８】
0004909189.tif 000009
【図９】
0004909189.tif 000010